(57)【要約】      （修正有）【課題】生物試片の保存に便利な生物試片の収容設置筒構造を提供する。【解決手段】生物試片の収容設置筒の構造は、収容設置筒２、封鎖蓋３を備え、収容設置筒２はチャンバー２１を備え、チャンバー２１には内筒４を収容設置し、内筒４の収容設置室４１には複数の生物試片７を入れることができ、しかも内筒４底部には複数の孔を備え、内筒４底部とチャンバー２１との間隙には若干の乾燥剤６を入れることができ、封鎖蓋３は収容設置筒２の開口部を覆って蓋をし、収容設置筒２チャンバー２１への空気の進入を防止する。【選択図】図４
0003151329.tif 000002
【実用新案登録請求の範囲】
【請求項１】
生物試片の収容設置筒の構造において、収容設置筒、封鎖蓋を備え、
前記収容設置筒は、チャンバーを備え、前記チャンバーには、内筒を収容設置し、前記内筒の収容設置室には、複数の生物試片を入れることができ、しかも前記内筒底部には、複数の孔を備え、前記内筒底部と前記チャンバーとの間隙には、若干の乾燥剤を入れることができ、
前記封鎖蓋は、前記収容設置筒の開口部を覆って蓋をし、前記収容設置筒チャンバーへの空気の進入を防止することを特徴とする生物試片の収容設置筒構造。
【請求項２】
請求項１記載の生物試片の収容設置筒構造において、前記内筒の収容設置室表面には、吸水材質層を塗布することを特徴とする生物試片の収容設置筒構造。
【請求項３】
請求項１記載の生物試片の収容設置筒構造において、前記封鎖蓋と前記収容設置筒との間には、連接部を備えることを特徴とする生物試片の収容設置筒構造。
【請求項４】
請求項１記載の生物試片の収容設置筒構造において、前記封鎖蓋上には、さらに前縁を設置するため、使用者の手による開放に便利であることを特徴とする生物試片の収容設置筒構造。
【考案の詳細な説明】
【技術分野】
【０００１】
本考案は生物試片の収容設置筒構造に関し、特に収容設置筒中に内筒を設置し、内筒底部には複数の孔を備え、内筒の収容設置室には複数の生物試片を入れることができ、しかも内筒底部とチャンバーの間隙には若干の乾燥剤を入れることができ、これにより乾燥剤は収容設置筒中から落ちにくくなり、しかも収容設置筒は極めて優れた除湿能力を備えるため、生物試片の保存に便利な生物試片の収容設置筒構造に関する。
【背景技術】
【０００２】
図１、２に示すように、既存の生物試片はみな、プラスチック材料により製造する硬質の片体である。その外形は大同小異で、およそ長方形(第二生物試片１２)或いは長方形の一端が丸みを帯びた形状（第一生物試片１１）を呈する。一般に複数の生物試片（第二生物試片１２を例とする）は、収容設置缶１３中に直接入れられ(図３参照)、乾燥剤(乾燥剤は空気に接触後、大量の水分を吸収すれば、効果を失う)を加えるほかには、他に一切の保護を与えることなく、収容設置缶１３の頂点に設置する封鎖蓋１３１を利用し、空気とそれが含む水分を遮断する。
【０００３】
しかし、使用者が生物試験を行なおうとする時には、封を開き、生物試片を取り出す必要があるため、封鎖蓋１３１と収容設置缶１３の反復開閉動作により、大量の空気と水分が収容設置缶１３中に進入する。これが長期間にわたると、残った生物試片は潮解し無効となってしまう。よって、上記したような生物試片の保存方法は、理想的ではない。さらに、封鎖蓋１３１と収容設置缶１３は分離式構造であるため、使用者が封鎖蓋１３１を開けた後、蓋をもとに戻すことを忘れがちで、さらには紛失してしまう恐れさえある。封鎖蓋１３１を失った収容設置缶１３では、生物試片はより速く無効となってしまう。
【考案の概要】
【考案が解決しようとする課題】
【０００４】
本考案の第一の目的は、収容設置筒中に内筒を加え、内筒底部には複数の孔を備え、内筒の収容設置室には複数の生物試片を入れることができ、しかも内筒底部とチャンバーの間隙には若干の乾燥剤を入れることができ、これにより乾燥剤は収容設置筒中から落ちにくくなり、しかも収容設置筒は極めて優れた除湿能力を備えるため、生物試片の保存に便利な生物試片の収容設置筒構造を提供することである。
本考案の第二の目的は、収容設置筒外部には封鎖蓋を設置するため、収容設置筒のチャンバーへの空気の進入を防ぐことができ、しかも封鎖蓋と収容設置筒との間には連接部を備えるため、封鎖蓋の遺失を防止することができる生物試片の収容設置筒構造を提供することである。
本考案の第三の目的は、内筒の収容設置室表面には吸水材質層を塗布するため、収容設置筒の除湿能力を強化することができる生物試片の収容設置筒構造を提供することである。
本考案の第四の目的は、封鎖蓋上には前縁を設置するため、使用者の手による開放に便利である生物試片の収容設置筒構造を提供することである。
【課題を解決するための手段】
【０００５】
請求項１の考案は、収容設置筒、封鎖蓋を備え、
前記収容設置筒は、チャンバーを備え、前記チャンバーには、内筒を収容設置し、前記内筒の収容設置室には、複数の生物試片を入れることができ、しかも前記内筒底部には、複数の孔を備え、前記内筒底部と前記チャンバーとの間隙には、若干の乾燥剤を入れることができ、
前記封鎖蓋は、前記収容設置筒の開口部を覆って蓋をし、前記収容設置筒チャンバーへの空気の進入を防止することを特徴とする生物試片の収容設置筒構造としている。
請求項２の考案は、請求項１記載の生物試片の収容設置筒構造において、前記内筒の収容設置室表面には、吸水材質層を塗布することを特徴とする生物試片の収容設置筒構造としている。
請求項３の考案は、請求項１記載の生物試片の収容設置筒構造において、前記封鎖蓋と前記収容設置筒との間には、連接部を備えることを特徴とする生物試片の収容設置筒構造としている。
請求項４の考案は、請求項１記載の生物試片の収容設置筒構造において、前記封鎖蓋上には、さらに前縁を設置するため、使用者の手による開放に便利であることを特徴とする生物試片の収容設置筒構造としている。
【考案の効果】
【０００６】
本考案は、収容設置筒中に内筒を設置し、内筒底部には複数の孔を備え、内筒の収容設置室には複数の生物試片を入れることができ、しかも内筒底部とチャンバーの間隙には若干の乾燥剤を入れることができ、これにより乾燥剤は収容設置筒中から落ちにくくなり、しかも収容設置筒は極めて優れた除湿能力を備えるため、生物試片の保存に便利である。
【図面の簡単な説明】
【０００７】
【図１】第一生物試片の構造図である。
【図２】第二生物試片の構造図である。
【図３】従来の生物試片の収容設置筒の構造図である。
【図４】本考案生物試片の収容設置筒の立体分解構造図である。
【図５】本考案生物試片の収容設置筒の封鎖状態を示す構造図である。
【図６】本考案生物試片の内筒の俯瞰図である。
【考案を実施するための形態】
【０００８】
本考案生物試片の収容設置筒の立体分解構造図である図４に示すように、本考案生物試片の収容設置筒の構造は、収容設置筒２、封鎖蓋３を備える。収容設置筒２は、チャンバー２１を備え、チャンバー２１には、内筒４を収容設置する。内筒４の収容設置室４１には、複数の生物試片７を入れることができ、しかも内筒４底部には、複数の孔４２を備える（図６参照）。内筒４底部とチャンバー２１の間隙には、若干の乾燥剤６を入れることができる。
【０００９】
封鎖蓋３は、収容設置筒２の開口部を覆って蓋をし、収容設置筒２チャンバー２１への空気の進入を防止し、またこれによって、乾燥剤６は、収容設置筒２中から落ち難くなる。しかも、収容設置筒２は極めて優れた除湿能力を備えるようになり、生物試片７の保存に有利である。本考案生物試片の収容設置筒２の封鎖状態は、図５に示す。
【００１０】
本考案生物試片の収容設置筒の構造は、収容設置筒２の外部に、封鎖蓋３を設置するため、収容設置筒２チャンバー２１への空気の進入を防止することができ、しかも封鎖蓋３と収容設置筒２との間には、連接部３１を備えるため、封鎖蓋３の遺失を防止することができる。
さらに、本考案生物試片の収容設置筒の構造は、内筒４の収容設置室４１表面には吸水材質層(図示なし)を塗布するため、収容設置筒２の除湿能力を強化することができる。
加えて、本考案生物試片の収容設置筒の構造は、封鎖蓋３上には、さらに前縁３２を設置するため、使用者の手による開放に便利である。
【００１１】
上記の本考案名称と内容は、本考案の最適実施例に過ぎず、本考案技術内容の説明に用いたのみで、本考案を限定するものではない。該項技術の習熟者は、本考案の説明に基づき、等価置換、或いは簡易な改変を行なったトンネル式散熱構造を作り出すことができるが、それらはすべて本考案の精神と範囲内における均等変化と修飾とみなし、すべて本考案の保護範囲に含むものとする。
【符号の説明】
【００１２】
１１  第一生物試片
１２  第二生物試片
１３  収容設置缶
１３１  封鎖蓋
２  収容設置筒
２１  チャンバー
３  封鎖蓋
３１  連接部
３２  前縁
４  内筒
４１  収容設置室
４２  孔
５  生物試片
６  乾燥剤
７  生物試片
【図１】
0003151329.tif 000003
【図２】
0003151329.tif 000004
【図３】
0003151329.tif 000005
【図４】
0003151329.tif 000006
【図５】
0003151329.tif 000007
【図６】
0003151329.tif 000008